(57)【要約】【課題】ベルトの長さをワンタッチ感覚で簡単に調節でき、また、斜めがけバッグ、ショルダーバッグ、またはハンドバッグとして、より多機能なバッグとして活用でき、さらに、余剰ベルトによる美的外観品質への影響がないため、バッグの高級感を損なうことのない、長さ調節ベルト付きバッグを提供することを目的とする。【解決手段】バッグの長手方向一端部上方に吊り下げ用ベルトの一端部が固着されると共に、他端部上方には吊り下げ用ベルトが挿通する挿通孔が穿設され、吊り下げ用ベルトの他端部が挿通されると共に、吊り下げ用ベルトの長手方向には、所定間隔をおいて係止部が設けられ、係止部は挿通孔近傍位置のフック状止め具に固定可能とされ、吊り下げ用ベルトの長さ調節が斜めがけの長さ、ショルダーバッグの長さ、ハンドバッグの長さに各々調節可能とされると共に、調節時のベルト残余部はバッグ内部に隠れ収納した、ことを特徴とする。【選択図】    図１
0003134519.tif 000002
【実用新案登録請求の範囲】
【請求項１】
バッグの長手方向一端部上方に吊り下げ用ベルトの一端部が固着されると共に、他端部上方には前記吊り下げ用ベルトが挿通する挿通孔が穿設されてなり、該挿通孔にはバッグ外側からバッグ内部に向けて前記吊り下げ用ベルトの他端部が挿通されると共に、該吊り下げ用ベルトの長手方向には、所定間隔をおいて複数のリング状の係止部が設けられ、該複数の係止部は前記挿通孔近傍位置のフック状止め具に固定可能とされ、
前記吊り下げ用ベルトの長さ調節が斜めがけの長さ、ショルダーバッグの長さ、ハンドバッグの長さに各々調節可能とされると共に、調節時のベルト残余部はバッグ内部に隠れ収納した、
ことを特徴とする長さ調節ベルト付きバッグ。
【請求項２】
バッグの長手方向一端部上方に吊り下げ用ベルトの一端部が固着されると共に、他端部上方には前記吊り下げ用ベルトが挿通する挿通孔が穿設されてなり、該挿通孔にはバッグ外側からバッグ内部に向けて前記吊り下げ用ベルトの他端部が挿通されると共に、該吊り下げ用ベルトの長手方向には、所定間隔をおいて複数のリング状の係止部が設けられ、該複数の係止部は前記挿通孔近傍位置のフック状止め具に固定可能とされ、
前記吊り下げ用ベルトの長さ調節が斜めがけの長さ、ショルダーバッグの長さ、ハンドバッグの長さに各々調節可能とされると共に、調節時のベルト残余部はバッグ内部に隠れ収納とし、かつバッグ内底面に形成したフック状止め具に、前記リング状係止部を係止させた、
ことを特徴とする長さ調節ベルト付きバッグ。
【請求項３】
バッグの長手方向一端部上方に吊り下げ用ベルトの一端部が固着されると共に、他端部上方には前記吊り下げ用ベルトが挿通する挿通孔が穿設されてなり、該挿通孔には外側からバッグ内部に向けて前記吊り下げ用ベルトの他端部側が挿通されると共に、該吊り下げ用ベルトの長手方向には、所定間隔をおいて複数のリング状係止部が設けられ、該複数の係止部は前記挿通孔近傍位置のフック状止め具に固定可能とされ、
前記吊り下げ用ベルトの長さ調節が斜めがけの長さ、ショルダーバッグの長さ、ハンドバッグの長さに各々調節可能とされると共に、調節時のベルト残余部はバッグ内部に隠れ収納とし、
前記吊り下げ用ベルトの他端部先端には、前記挿通孔の穴幅より長い幅長を有する脇側引っ掛かり部と、該脇側引っ掛かり部の両端から斜辺状に傾斜して延出し、先端に三角突部を形成して略三角形状をなすストッパー片が形成された、
ことを特徴とする長さ調節ベルト付きバッグ。
【考案の詳細な説明】
【技術分野】
【０００１】
この考案は、ベルトの長さを容易に調節できるようにし、いわゆるセンカンドバッグタイプのバッグにおいて、該バッグがショルダーバッグ、斜めがけバッグあるいはハンドバッグ等にスムーズに変更できるコンバーチブルなバッグに関するものである。
【背景技術】
【０００２】
従来、ベルトの長さが調節できるバッグは存在していた。そして、この従来からあるバッグは、例えば、ベルトを留め具に通して、ベルトの長手方向複数箇所に設けられた貫通孔のいずれかに、留め具に取り付けられたピンを挿入することにより、ベルトを固定し、ベルトの長さが調節可能なように構成されているものが知られている。
または、いわゆるコキやアジャスターという調節器を用いてベルトの長さを調節するものも一般的である。
そして、前記のようにベルトの長さを調節することにより、ショルダーバッグとしても手提げバッグ等としても用いられるとして、多機能のバッグが提供されている。
【特許文献１】登録実用新案３０３３８２３号公報
【考案の開示】
【考案が解決しようとする課題】
【０００３】
しかしながら、上記の従来の長さ調節ベルト付きバッグでは、長さが調節できるといってもその調節の限度は限られていた。
また、貫通孔を多数設けることによってベルトの最長最短の長さ調節を大きくしようと構成する場合には、前記ベルトの長さ方向に多数の貫通孔を穿設しなければならない。しかしながら、ベルトの長さ方向に多数の貫通孔を穿設してしまうと、該多数の貫通孔が可視出来るものとなり、美的外観上あまり好ましいものではなかった。
【０００４】
さらに、ベルトの長さを最短とした場合、かなりの長さの余剰ベルトが生ずるものとなる。そして、その余剰ベルトが外側に露出してしまい、見栄えが悪く、バッグの美的外観品質の低下を招いてしまうとの課題があった。
また、コキを用いた場合でも、ベルトの長さを短くした場合には、余剰ベルトが二重となって外観に表れてしまい、同様に見栄えが悪い。
【０００５】
かくして、本考案は、前記従来の課題に対処すべく案出されたものであり、ベルトの長さをワンタッチ感覚で簡単に調節でき、また、調節できる長短の幅が大きく、よって、斜めがけバッグ、ショルダーバッグ、またはハンドバッグとしても用いることが出来、もってより多機能なバッグとして活用でき、さらに、ベルトの長さを最短とした場合でも余剰ベルトによる美的外観品質への影響がないため、バッグの高級感を損なうことのない、長さ調節ベルト付きバッグを提供することを目的とするものである。
【課題を解決するための手段】
【０００６】
本考案による長さ調節ベルト付きバッグは、
バッグの長手方向一端部上方に吊り下げ用ベルトの一端部が固着されると共に、他端部上方には前記吊り下げ用ベルトが挿通する挿通孔が穿設されてなり、該挿通孔にはバッグ外側からバッグ内部に向けて前記吊り下げ用ベルトの他端部が挿通されると共に、該吊り下げ用ベルトの長手方向には、所定間隔をおいて複数のリング状の係止部が設けられ、該複数の係止部は前記挿通孔近傍位置のフック状止め具に固定可能とされ、
前記吊り下げ用ベルトの長さ調節が斜めがけの長さ、ショルダーバッグの長さ、ハンドバッグの長さに各々調節可能とされると共に、調節時のベルト残余部はバッグ内部に隠れ収納した、
ことを特徴とし、
または、
バッグの長手方向一端部上方に吊り下げ用ベルトの一端部が固着されると共に、他端部上方には前記吊り下げ用ベルトが挿通する挿通孔が穿設されてなり、該挿通孔にはバッグ外側からバッグ内部に向けて前記吊り下げ用ベルトの他端部が挿通されると共に、該吊り下げ用ベルトの長手方向には、所定間隔をおいて複数のリング状の係止部が設けられ、該複数の係止部は前記挿通孔近傍位置のフック状止め具に固定可能とされ、
前記吊り下げ用ベルトの長さ調節が斜めがけの長さ、ショルダーバッグの長さ、ハンドバッグの長さに各々調節可能とされると共に、調節時のベルト残余部はバッグ内部に隠れ収納とし、かつバッグ内底面に形成したフック状止め具に、前記リング状係止部を係止させた、
ことを特徴とし、
または、
バッグの長手方向一端部上方に吊り下げ用ベルトの一端部が固着されると共に、他端部上方には前記吊り下げ用ベルトが挿通する挿通孔が穿設されてなり、該挿通孔には外側からバッグ内部に向けて前記吊り下げ用ベルトの他端部側が挿通されると共に、該吊り下げ用ベルトの長手方向には、所定間隔をおいて複数のリング状係止部が設けられ、該複数の係止部は前記挿通孔近傍位置のフック状止め具に固定可能とされ、
前記吊り下げ用ベルトの長さ調節が斜めがけの長さ、ショルダーバッグの長さ、ハンドバッグの長さに各々調節可能とされると共に、調節時のベルト残余部はバッグ内部に隠れ収納とし、
前記吊り下げ用ベルトの他端部先端には、前記挿通孔の穴幅より長い幅長を有する脇側引っ掛かり部と、該脇側引っ掛かり部の両端から斜辺状に傾斜して延出し、先端に三角突部を形成して略三角形状をなすストッパー片が形成された、
ことを特徴とするものである。
【考案の効果】
【０００７】
本考案によるであれば、ベルトの長さをワンタッチ感覚で簡単に調節でき、また、調節できる長短の幅が大きく、斜めがけバッグ、ショルダーバッグ、またはハンドバッグとしても用いられる、より多機能なバッグとして活用でき、さらに、ベルトの長さを最短とした場合でも、外側に露出させないため、余剰ベルトによる外観品質への影響がない、よってバッグの高級感を損なうことのない、長さ調節ベルト付きバッグを提供できるとの優れた効果を奏する。
【考案を実施するための最良の形態】
【０００８】
以下、本考案を図に示す最良の実施の形態に基づいて説明する。
本考案による長さ調節ベルト付きバッグ１は、バッグ本体２と、長さが調節可能な吊り下げ用ベルト３を有して構成されている。
ここで、図１から理解されるように、吊り下げ用ベルト３は、バッグ本体２の長手方向一端部上方に該吊り下げ用ベルト３の一端部が固着されている。そして、バッグ本体２の他端部上方には前記吊り下げ用ベルト３が挿通する挿通孔４が穿設されており、該挿通孔４に吊り下げ用ベルト３の他端部が外側からバッグ本体２内部に向けて挿通されるものとなる。
【０００９】
次に、図２から理解されるように、吊り下げ用ベルト３の長手方向には、所定間隔をおいて複数の係止部５が設けられ、該複数の係止部５は、前記挿通孔４近傍位置のフック止め具６に固定可能とされる。
ここで、係止部５は、例えばリング状の金具から構成するものとし、該リング状の金具の一部に水平状の取付部を構成し、該取付部に、例えばバッグ本体２に用いられる皮革等の素材を巻き付け、それを吊り下げ用ベルト３に縫いつけることにより固定する。そして、この係止部５が、斜めがけバッグ、ショルダーバッグまたはハンドバッグとして使用する位置になるよう、吊り下げ用ベルト３の長手方向に向かって各々所定の間隔をあけて取り付けてある。
【００１０】
次に、フック止め金具６は、前記のようにバッグ本体２他端側の挿通孔４近傍位置、すなわち挿通孔４の真下側に強固に固定されており、該フック止め金具６に前記各々の係止部５を連結するよう構成される。
この連結構造については何ら限定されるものではないが、係止部５及びフック止め金具の双方をリング状に構成し、これをチェーンのように輪を繋いで連結するのが一般的である。
【００１１】
なお、フック止め金具６については、リング状をなす連結リング部の所定箇所に切れ目を設け、該切れ目の一方側構成片が他方側の構成片に弾性を有して当接するよう構成する。よって、前記係止部５と連結するときは、前記切れ目の部分から係止部５を交差状態にして差し込み、フック止め金具６のリング状をなす連結リング部内にリング状係止部５を繋ぐものとする。
ここで、前記複数のリング状の係止部５のいずれかを選択し、フック止め具６に固定することにより、バッグ本体２の用途に応じて吊り下げ用ベルト３の長さを調節でき、かつ、吊り下げ用ベルト３がずれないよう固定することができるのである。
【００１２】
このように、該複数のリング状の係止部５のいずれかを選択して、吊り下げ用ベルト３の長さを調節することにより、例えば、斜めがけの長さのバッグとして、ショルダーバッグとして、またはハンドバッグなどとして、該長さ調節ベルト付きバッグ１を活用することができる（図３，４及び５参照）。
また、該リング状の係止部５をフック止め具６に引っ掛けるだけで固定できるので、吊り下げ用ベルト３の長さをワンタッチ感覚で簡単に調節できることとなる。
【００１３】
さらに、挿通孔４に挿通した吊り下げ用ベルト３のベルト残余部７を、バッグ本体２内部に隠して収納する。
その結果バッグ本体２の美的外観への影響をなくすことができることとなる（図６参照）。従って、このように、長さを調節した結果、吊り下げ用ベルト３にベルト残余部７ができたとしても、バッグの外観品質の低下を招くことはないのである。
【００１４】
なお、図６から理解できるように、バッグ本体２内部にもフック止め具６を取り付けておくことも出来る。この様な構造にすると、例えば、吊り下げ用ベルト３の先端側、すなわちベルト残余部７側に設けられたリング状の係止部５をバッグ１内部で固定することが可能である。これにより、バッグ本体２内部に収納したベルト残余部７が、バッグ本体２内でよじれたり、からみついたりしないことになる。
【００１５】
次に、ストッパー８について説明する。
前述のとおり、本考案による長さ調節ベルト付きバッグ１は、バッグ本体２と、長さが調節可能な吊り下げ用ベルト３とを有して構成されており、吊り下げ用ベルト３の一端側は、バッグ本体２の長手方向一端部上方に固着されている。そして、バッグ本体２の他端部上方３には前記吊り下げ用ベルト３が挿通する挿通孔４が穿設されており、該挿通孔４に吊り下げ用ベルト３の他端部を外側からバッグ本体２内部に向けて挿通される。
そして、該吊り下げ用ベルト３の他端部に、ストッパー８が設けられる。
【００１６】
図７から理解されるように、該ストッパー８は、挿通孔４の穴幅より長い幅長を有する様、両幅側に延びる引っ掛かり部９、９が形成されており、該引っ掛かり部９の両端から斜辺状に傾斜し、先端に三角突部が形成されるよう、全体として略三角形状をなして形成されている。
この様にストッパー８を構成した結果、ストッパー８の先端を挿通孔４に容易に差し込んで挿通させることが出来、また、例えば、本考案による長さ調節ベルト３のリング状をなす係止部５を万が一フック止め具６に係止し忘れ、その状態で吊り下げ用ベルト３を引き抜こうとしても前記引っ掛かり部９，９が挿通孔４の幅方向両端に引っ掛かることとなり、もって吊り下げ用ベルト３が挿通孔４から抜け落ちることがない構成になっている。
【００１７】
このように、該ストッパー８についても特徴的な形状としたため、非常にシンプルながら、バッグ外観への影響を与えることなく、吊り下げ用ベルト３をバッグ本体２の端部に固定しておくことができるとの優れた効果も得られるのである。
【図面の簡単な説明】
【００１８】
【図１】本考案の構成を説明する構成説明図（その１）である。
【図２】本考案の構成を説明する構成説明図（その２）である。
【図３】本考案の使用状態を説明する構成説明図（その１）である。
【図４】本考案の使用状態を説明する構成説明図（その２）である。
【図５】本考案の使用状態を説明する構成説明図（その３）である。
【図６】本考案の構成を説明する構成説明図（その３）である
【図７】本考案による長さ調節が出来る吊り下げ用ベルトの構成説明図である
【符号の説明】
【００１９】
１        長さ調節ベルト付きバッグ
２        バッグ本体
３        吊り下げ用ベルト
４        挿通孔
５        係止部
６        フック止め具
７        ベルト残余部
８        ストッパー
９        脇側引っ掛かり部
【図１】
0003134519.tif 000003
【図２】
0003134519.tif 000004
【図３】
0003134519.tif 000005
【図４】
0003134519.tif 000006
【図５】
0003134519.tif 000007
【図６】
0003134519.tif 000008
【図７】
0003134519.tif 000009